(57)【特許請求の範囲】
【請求項１】
自覚式及び他覚式の両検眼機能を有し、モード切替手段により被検眼に対する自覚式又は他覚式のいずれかの検眼モードを設定して検眼を実行する本体と、この本体の端面に沿って上下方向に移動可能な顎受け手段と、前記モード切替手段により自覚式の検眼モードが設定されたとき、前記被検者の顎が固定されている前記顎受け手段を、この被検者の顎の下方へ離脱させる顎受け駆動手段と、を有することを特徴とする眼科装置。
【請求項２】
自覚式及び他覚式の両検眼機能を有し、モード切替手段により被検眼に対する自覚式又は他覚式のいずれかの検眼モードを設定して検眼を実行する本体と、この本体の端面に沿って上下方向に移動可能な顎受け手段と、前記モード切替手段により他覚式の検眼モードから自覚式の検眼モードに切り替えられたとき、前記顎受け手段を被検者の顎の下方へ離脱させ、自覚式の検眼モードから他覚式の検眼モードに切り替えられたとき、前記顎受け手段を所定の位置まで上昇復帰させる顎受け駆動手段と、を有することを特徴とする眼科装置。
【請求項３】
自覚式及び他覚式の両検眼機能を有し、モード切替手段により被検眼に対する自覚式又は他覚式のいずれかの検眼モードを設定して検眼を実行する本体と、この本体の端面に沿って上下方向に移動可能な顎受け手段と、この顎受け手段の前記本体の端面に沿った上下方向の位置を監視する位置監視手段と、前記モード切替手段により他覚式の検眼モードから自覚式の検眼モードに切り替えられたとき、前記顎受け手段を被検者の顎の下方へ離脱させ、自覚式の検眼モードから他覚式の検眼モードに切り替えられたとき、前記位置監視手段による顎受け手段の監視情報を基にこの顎受け手段を被検者の顎に当接する位置又はその近傍まで上昇復帰させる顎受け駆動手段と、を有することを特徴とする眼科装置。
【発明の詳細な説明】
【０００１】
【発明の属する技術分野】
本発明は、眼科装置に関し、より詳しくは、自覚式及び他覚式の両検眼機能を有するとともに、被検者の顎固定用の顎受け手段を具備する眼科装置に関する。
【０００２】
【従来の技術】
この種の眼科装置においては、自覚式及び他覚式の両検眼モードを有する本体の端面に沿って、被検者の眼を検眼位置に固定するために用いる顎受けを上下動可能に配置し、特に他覚式の検眼を実行する際に、被検者の眼が本体の端面に臨ませた対物レンズに正確に対峙するように調整するようにしている。
【０００３】
即ち、検者は、被検者の顎をまず顎受け手段に載せ、この被検者の眼を本体の対物レンズに対峙させた状態とし、さらに検者は顎受け手段を上下動させて被検者の眼の角膜頂点の高さを対物レンズの高さに合わせるように調整している。
【０００４】
【発明が解決しようとする課題】
しかしながら、上述した従来装置の場合、自覚式及び他覚式の両検眼機能を実行する場合、例えば他覚式の検眼モードから自覚式の検眼モードに切り替えたとき、被検者に対する自覚式の検眼を円滑に実行できないという課題がある。
【０００５】
即ち、自覚式の検眼モードにおいては、被検者にランドルト環等の自覚式の検眼視標を観察させるとともに、検者が被検者に検眼視標の見え具合等を尋ねる等の対話を行いながら検眼を進行するものであり、この場合、被検者の顎が顎受け手段に当接したままでは、被検者にとって発声に支障が生じ、自覚式の検眼の進行に支障が生じてしまう。
【０００６】
そこで、本発明は、特に自覚式の検眼モードにおける被検者の顎に対する拘束状態を解放することができ、他覚式の検眼はもとより自覚式の検眼をも円滑に実行することが可能な眼科装置を提供することを目的とするものである。
【０００７】
【課題を解決するための手段】
請求項１記載の発明に係る眼科装置は、自覚式及び他覚式の両検眼機能を有し、モード切替手段により被検眼に対する自覚式又は他覚式のいずれかの検眼モードを設定して検眼を実行する本体と、この本体の端面に沿って上下方向に移動可能な顎受け手段と、前記モード切替手段により自覚式の検眼モードが設定されたとき、前記被検者の顎が載置されている前記顎受け手段を、この被検者の顎の下方へ離脱させる顎受け駆動手段とを有することを特徴とするものである。
【０００８】
この発明によれば、この眼科装置において被検眼に対する他覚式の検眼モードを設定して検眼を実行した場合において、モード切替手段により自覚式の検眼モードに切り換えると、前記顎受け駆動手段は、前記被検者の顎が載置されている前記顎受け手段を、この被検者の顎の下方へ離脱させる。これにより、自覚式の検眼モードにおける被検者の顎に対する顎受け手段の拘束状態を解放することができ、被検者は発声が自由になって、特に自覚式の検眼を円滑に実行することが可能となる。
【０００９】
請求項２記載の発明に係る眼科装置は、自覚式及び他覚式の両検眼機能を有し、モード切替手段により被検眼に対する自覚式又は他覚式のいずれかの検眼モードを設定して検眼を実行する本体と、この本体の端面に沿って上下方向に移動可能な顎受け手段と、前記モード切替手段により他覚式の検眼モードから自覚式の検眼モードに切り替えられたとき、前記顎受け手段を被検者の顎の下方へ離脱させ、自覚式の検眼モードから他覚式の検眼モードに切り替えられたとき、前記顎受け手段を所定の位置まで上昇復帰させる顎受け駆動手段とを有することを特徴とするものである。
【００１０】
この発明によれば、請求項１記載の発明に係る眼科装置の作用に加えて、自覚式の検眼モードから他覚式の検眼モードに切り替えられたとき、前記顎受け駆動手段が顎受け手段を被検者の顎に当接する位置まで上昇復帰させるので、例えば被検眼の両眼に対して、左眼、右眼の他覚式、自覚式の検眼を交互に繰り返し行う場合に被検者の顎の拘束状態、拘束解除状態の切り替えを円滑に実行でき、他覚式の検眼はもとより自覚式の検眼を円滑に実行することが可能となる。
【００１１】
請求項３記載の発明に係る眼科装置は、自覚式及び他覚式の両検眼機能を有し、モード切替手段により被検眼に対する自覚式又は他覚式のいずれかの検眼モードを設定して検眼を実行する本体と、この本体の端面に沿って上下方向に移動可能な顎受け手段と、この顎受け手段の前記本体の端面に沿った上下方向の位置を監視する位置監視手段と、前記モード切替手段により他覚式の検眼モードから自覚式の検眼モードに切り替えられたとき、前記顎受け手段を被検者の顎の下方へ離脱させ、自覚式の検眼モードから他覚式の検眼モードに切り替えられたとき、前記位置監視手段による顎受け手段の監視情報を基にこの顎受け手段を被検者の顎に当接する位置又はその近傍まで上昇復帰させる顎受け駆動手段とを有することを特徴とするもである。
【００１２】
この発明によれば、請求項２記載の発明に係る眼科装置の場合と同様にして、例えば被検眼の両眼に対して、左眼、右眼の他覚式、自覚式の検眼を交互に繰り返し行う場合に被検者の顎の拘束状態、拘束解除状態の切り替えを円滑に実行でき、他覚式の検眼はもとより自覚式の検眼を円滑に実行することが可能となり、特に、位置監視手段により顎受け手段の位置を監視し、顎受け手段を被検者の顎の近傍まで上昇復帰させるようにする場合には、被検者の顎に顎受け手段が衝突して被検者を驚かせる事態を回避できる。
【００１９】
【発明の実施の形態】
以下に本発明の眼科装置の実施の形態を詳細に説明する。
【００２０】
図１乃至図３に示す眼科装置１は、直方体状の基台２と、この基台２に対し操作ハンドル３の操作により図１に示すＸ、Ｙ方向に移動可能に取り付けた本体基部４と、この本体基部４に対し操作ハンドル３の回転操作でＺ方向（垂直方向）に上下動可能に取り付けた例えばオートレフラクトメータのような他覚式の検眼機能及び視力検査等の自覚式の検眼機能の双方を有する本体５と、前記本体基部４に搭載した詳細は後述するプリントキー６ａ、自覚、他覚のモード切り替えを行うモード切替キー６ｂ等を具備した操作パネル６とを具備している。
【００２１】
また、前記本体５の一方の端面側には、図３に示すように、被検者の眼に対峙する対物レンズ９ａを装着した対物鏡筒９を設けている。
【００２２】
さらに、前記眼科装置１は、本体５の一方の端面の前方に被検者の顎を載置する顎受け手段である顎受け１１を配置している。
【００２３】
即ち、前記基台２の一方の端面に側面Ｌ状の顎受け支持体１２を取り付け、この顎受け支持体１２の上部角筒１３の中央部において顎受け１１をＺ方向に上下動可能に支持している。また、前記上部角筒１３の両端部から前記顎受け１１の両側に位置する配置でＺ方向に突設した一対の支柱１４ａ、１４ｂの上部に帯状に形成された被検者Ｍ用の額当手段である額当て１５を架設している。
【００２４】
前記上部角筒１３には、前記顎受け１１を図４に示すＺ方向に駆動し、被検者に応じた高さ位置に位置決めする顎受け駆動手段２０を設けている。
【００２５】
この顎受け駆動手段２０は、図４に示すように、原動軸を水平に配置した顎受けモータ（例えばパルスモータ）２１と、この顎受けモータ２１の原動軸に取り付けた第１の傘歯歯車２２と、この第１の傘歯歯車２２に対して一定の間隔を隔てて対向配置するとともに、連結軸２４を介して上部角筒１３の外側に設けた手動ハンドル２５に連結した第２の傘歯歯車２３と、第１、第２の傘歯歯車２２、２３に螺合する従動傘歯歯車２６及びこの従動傘歯歯車２６から上方に突設したねじ体２７からなる従動回転体２８と、前記顎受け１１の下面から下方に突設され内周部に設けたねじ部を前記ねじ体２７に螺合した係合突部１１ａとを具備している。
【００２６】
さらに、前記眼科装置１は、前記支柱１４ｂに対して顎受け１１に対向する状態で取り付けた被検者の顎の位置又は顎の長さを検出するラインセンサ（例えば赤外線センサ）２９と、前記本体５に組み込んだ検眼結果を印刷する印刷手段であるプリンタ３０と、前記本体５の被検者Ｍとは反対側の端面に設けた各種の情報を表示する表示部３１とを具備している。
【００２７】
尚、前記額当て１５は、一対の支柱１４ａ、１４ｂに対して連結環１４ｃ、１４ｄを介して取り付けてあり、また、一方の連結環１４ｃに取り付けた微動ハンドル３５を操作することで、額当て１５をＺ方向に微調整可能となっている。
【００２８】
図５は、前記眼科装置１の光学系を示すものである。
【００２９】
図５おいて、５１は、被検眼Ｅの眼底Ｅｒにリング状像を形成するための投影光学系、５２は、眼底Ｅｒの像を二次元画像センサとしてＣＣＤ（イメージセンサ）７３に形成するための結像光学系、５３は、被検眼Ｅを遠方視状態で固定させるための固視標光学系、５４は被検眼Ｅの前眼部Ｅａを観察する観察光学系である。
【００３０】
投影光学系５１は、孔あきミラー６６、赤外光ＬＥＤ光源６７、コンデンサーレンズ６８、円錐形プリズム６９、リング状開口絞り７０、リレーレンズ７１、対物レンズ９ａからなり、結像光学系５２は対物レンズ９ａ、孔あきミラー６６、リレーレンズ７３、ＣＣＤ７３からなり、固視標光学系５３は対物レンズ９ａ、赤外透過可視反射ミラー７４、リレーレンズ７５、固視表示部７６からなり、この固視表示部７６は、回転円板７９に所要数の固視標や自覚用テストチャートを設けた構成となっている。
【００３１】
固視標としては、スターバストチャートや風景チャート等を用い、自覚用テストチャートとしてはランドルト環等の視力チャート、レッドグリーンチャート等を用いるようになっている。
【００３２】
観察光学系５４は、対物レンズ９ａ、ハーフミラー８０、リレーレンズ８１、撮像管８２等から構成されている。
【００３３】
図６は、眼科装置１の制御系を示すものであり、動作プログラムを格納したプログラムメモリ９１と、全体の制御を行う制御部９０とからなる制御手段１００を具備し、前記制御部９１により前記操作パネル６、前記顎受けモータ２１、センサ２９、プリンタ３０、表示部３１を各々制御するようになっている。さらに、制御部９０にセンサ２９による顎受け１１の高さの位置情報や被検者の顎の長さの情報等を記憶するメモリ９２を接続している。そして、センサ２９、メモリ９２により、顎受け１１の位置監視手段を構成している。
【００３４】
次に、本実施の形態の眼科装置１の動作を、図７に示す被検者Ｍの顎に対する顎受け１１の上下動動作を主にして説明する。
【００３５】
この眼科装置１において、最初に被検者Ｍの被検眼Ｅに対する他覚式の検眼モードを設定して他覚式の検眼を実行した場合において、操作パネル６のモード切替キー６ｂを操作し、自覚式の検眼モードに切り換えると、前記制御部９０の制御の基に、顎受け駆動手段２０が動作し、前記顎受けモータ２１の回転が第１の傘歯歯車２２、従動傘歯歯車２６、ねじ体２７を介して前記顎受け１１に伝達され、これにより、前記被検者Ｍの顎が載置されている前記顎受け１１を、図７に示すように、この被検者Ｍの顎の下方（Ｚ方向）へ例えば１乃至２ｃｍ程度下降駆動して離脱させる。これにより、自覚式の検眼モードにおける被検者Ｍの顎に対する顎受け１１の拘束状態を解放することができ、被検者Ｍは発声が自由になって、特に自覚式の検眼を円滑に実行することが可能となる。
【００３６】
上述した顎受け１１のＺ方向に位置は、前記ラインセンサ２９により検出され、その位置情報が前記メモリ９２に記憶される。
【００３７】
次に、例えば被検眼Ｅの左右両眼に対して、左眼、右眼の他覚式、自覚式の検眼を交互に繰り返し行う場合、即ち、左眼の他覚式、左眼の自覚式、右眼の他覚式、右眼の自覚式という順序で検眼を進行する場合について説明する。
【００３８】
こような場合には、左眼の他覚式の検眼を行った後、上述と同様にして図７に示すように被検者Ｍの顎の下方（Ｚ方向）へ例えば１乃至２ｃｍ程度下降駆動し、被検者Ｍの顎に対する顎受け１１の拘束状態を解放した状態で左眼の自覚式の検眼を行い、次に、操作パネル６のモード切替キー６ｂを操作し、他覚式の検眼モードに切り替る。これにより、前記制御部９０の制御の基に、顎受け駆動手段２０が動作し、前記顎受け１１を図８に示すように、再度被検者Ｍの顎に接触する位置まで上昇復帰させる。
【００３９】
このような動作により、他覚式、自覚式の検眼を交互に繰り返し行う場合の検眼を円滑に実行することが可能となる。
【００４０】
また、顎受け駆動手段２０により前記顎受け１１を上昇復帰させるに際して、前記メモリ９２に記憶した顎受け１１の他覚式の検眼時の位置を基に、顎受け１１を被検者Ｍの顎の近傍（例えば５ｍｍ程度）まで上昇復帰させるようにすれば、被検者Ｍの顎に顎受け１１が衝突して被検者Ｍに衝撃を与え驚かせる事態を回避できる。そして、前記手動ハンドル２５により顎受け１１の高さを顎に接触するまで微調整すれば良い。
【００４１】
また、前記メモリ９２に記憶した被検者の顎の長さの情報を基に顎受け１１を被検者Ｍの顎の近傍（例えば５ｍｍ程度）まで上昇復帰させるようにすれば、被検者Ｍの顎に顎受け１１が衝突してしまう不具合を回避することができる。
【００４２】
さらに、本実施の形態において、前記操作手段６に設けたプリントキー６ａを操作し、被検眼Ｅの検眼結果をプリンタ３０により印刷する検眼の最終段階で、プリントキー６ａからの印刷指令が発せられた時、顎受け駆動手段２０により被検者Ｍの顎が載置されている前記顎受け１１を下方へ離脱させるようにすることで、被検者Ｍの顎に対する顎受け１１による拘束状態を自動的に解除することができる。
【００４３】
この他、前記顎受け１１による被検者Ｍの顎に対する拘束状態の自動的な解除の手段としては、検者と被検者Ｍとの対話が相当時間無くなった無言状態をマイク等の音認識手段で認識して前記顎受け駆動手段２０を動作させる構成を挙げることができる。
【００４４】
図９乃至図１２は、前記眼科装置１の他例を示すものであり、この場合には、前記額当て１５の被検者Ｍの額が当接する面に、この被検者Ｍの額の当接状態を検出する額検出手段である額センサ（例えばマイクロスイッチ、圧力検知素子を用いた接触センサ等）３２を取り付け、図６に示すように制御部９０により前記額センサ３２の動作を制御するように構成している。
【００４５】
この他例においては、被検者Ｍの他覚式検眼を行う際に、前記額当て１５に対して前記被検者Ｍの額が図１０に示すように当接したり、図１１に示すように離れた状態となったりする状態を額センサ３２により検出するようにしている。
【００４６】
そして、図１２に示すように、被検者Ｍの額が額当て１５から離れた状態となっている場合には、前記表示部３１に「額が額当てに当たっておりません。」というメッセージを表示して検者に告知するようにすれば、検者は被検者の姿勢が不良であり、他覚式検眼を直ちに実行することはできないことを速やかに知ることができ、被検者に姿勢を正し額を額当て１５に当てるように指示することが可能となる。
【００４７】
前記表示部３１に上述したメッセージを表示する他、例えば、被検者Ｍの額が額当て１５から離れた状態を額センサ３２により検出し、ブザー等を鳴動させるように構成することももちろん可能である。
【００４８】
また、額センサ３２による額の額当て１５に対する接触状態の検出結果を基に、顎受け駆動手段２０を動作させ、前記顎受け１１を既述した図８に示す場合と同様、再度被検者Ｍの顎に接触する位置又はその近傍位置まで上昇駆動させるようにすることももちろん可能である。
【００４９】
一方、額センサ３２による額の額当て１５に対する接触無しの状態の検出結果を基に、前記顎受け駆動手段２０の動作を停止させ、顎受け１１の上昇を回避するようにすれば、被検者Ｍの額が額当て１１に当接しないような検眼開始に不適切な姿勢の場合に、額当て１１が上昇することはなく、これにより、検者は、被検者Ｍの姿勢が不適切のまま他覚式検眼を開始してしまうという事態を無くすことができる。
【００５０】
【発明の効果】
請求項１記載の発明によれば、自覚式の検眼モードにおける被検者の顎に対する顎受け手段の拘束状態を解放することができ、被検者は発声が自由になって、特に自覚式の検眼を円滑に実行することが可能な眼科装置を提供することができる。
【００５１】
請求項２記載の発明によれば、被検眼の両眼に対して、左眼、右眼の他覚式、自覚式の検眼を交互に繰り返し行う場合に被検者の顎の拘束状態、拘束解除状態の切り替えを円滑に実行でき、他覚式の検眼はもとより自覚式の検眼を円滑に実行することが可能な眼科装置を提供することができる。
【００５２】
請求項３記載の発明によれば、請求項２記載の発明の場合と同様な効果を奏するとともに、顎受け手段を被検者の顎の近傍まで上昇復帰させるようにする場合に被検者の顎に対する顎受け手段の衝突防止をも図ることが可能な眼科装置を提供することができる。
【図面の簡単な説明】
【図１】本発明の実施の形態の眼科装置の平面図である。
【図２】本発明の実施の形態の眼科装置の側面図である。
【図３】本発明の実施の形態の眼科装置の正面図である。
【図４】本発明の実施の形態の眼科装置における顎受け駆動手段を示す拡大断面図である。
【図５】本発明の実施の形態の眼科装置における光学系を示す光学構成図である。
【図６】本発明の実施の形態の眼科装置における制御系を示すブロック図である。
【図７】本発明の実施の形態の眼科装置における顎受けの下降動作を示す説明図である。
【図８】本発明の実施の形態の眼科装置における顎受けの上昇動作を示す説明図である。
【図９】本発明の実施の形態における額当ての他例を示す部分図である。
【図１０】本発明の実施の形態における額当てに対する被検者の額の当接状態を示す説明図である。
【図１１】本発明の実施の形態における額当てに対する被検者の額が離れている状態を示す説明図である。
【図１２】本発明の実施の形態の眼科装置において額当てに対して被検者の額が離れている状態における表示部のメッーセージ表示状態を示す説明図である。
【符号の説明】
１  眼科装置
５  本体
６  操作パネル
９  対物鏡筒
１１  顎受け
１２  顎受け支持体
２０  顎受け駆動手段
２１  顎受けモータ
２９  センサ
３０  プリンタ
３１  表示部
３２  額センサ
３５  微動ハンドル
９０  制御部
Ｍ  被検者
Ｅ  被検眼
【図１】
0003782216.tif 000002
【図２】
0003782216.tif 000003
【図３】
0003782216.tif 000004
【図４】
0003782216.tif 000005
【図５】
0003782216.tif 000006
【図６】
0003782216.tif 000007
【図７】
0003782216.tif 000008
【図８】
0003782216.tif 000009
【図９】
0003782216.tif 000010
【図１０】
0003782216.tif 000011
【図１１】
0003782216.tif 000012
【図１２】
0003782216.tif 000013